(57)【要約】【課題】  装置自体の容積を小さくでき、路上に安定して容易に設置できるサイネージ装置を提供することである。【解決手段】  映像や情報を表示するディスプレイ装置１５の上部に折り畳み可能に庇１６を取り付け、庇１６に掛止部１８を折り畳み可能に取り付け、掛止部１８によりディスプレイ装置１５を路上設置物に１４着脱自在に固定し、ディスプレイ装置１５の下部に路面設置部１３を取り付け、路面設置部１３によりディスプレイ装置１５を路上設置物１４まで移動させるとともに路面に固定設置する。【選択図】  図１
2018013516.tif 000002
【特許請求の範囲】
【請求項１】
映像や情報を表示するディスプレイ装置と、
前記ディスプレイ装置の上部に折り畳み可能に取り付けられた庇と、
前記庇に折り畳み可能に取り付けられ、前記ディスプレイ装置を路上設置物に着脱自在に固定するための掛止部と、
前記ディスプレイ装置の下部に取り付けられ前記ディスプレイ装置を前記路上設置物まで移動させるとともに路面に固定設置するための路面設置部と、
を備えたことを特徴とするサイネージ装置。
【請求項２】
前記掛止部は、前記路上設置物に設けられた取付部に引っ掛けられて路上設置物に掛止する引っ掛け部であることを特徴とする請求項１に記載のサイネージ装置。
【請求項３】
前記掛止部は、前記路上設置物の上面及び背面に面的に接触して路上設置物に掛止する板部材であることを特徴とする請求項１に記載のサイネージ装置。
【請求項４】
前記庇に太陽光発電設備を設けたことを特徴とする請求項１乃至請求項３に記載のサイネージ装置。
【請求項５】
前記ディスプレイ装置の表示面を前記路上設置物に対して所定の角度をもって取り付けるための角度調整部を備えたことを特徴とする請求項１乃至請求項４に記載のサイネージ装置。
【請求項６】
前記ディスプレイ装置の下部に折り畳み可能に設けられ前記路上設置部を隠す覆い部を備えたことを特徴とする請求項１乃至請求項５に記載のサイネージ装置。
【発明の詳細な説明】
【技術分野】
【０００１】
本発明は、ディスプレイ装置に映像や情報を表示するサイネージ装置に関する。
【背景技術】
【０００２】
ディスプレイ装置に映像や情報を表示するサイネージ装置として、広告画像をディスプレイ装置に表示し、不特定の多数の人間の目に付くような状態で設置されるものがある（例えば、特許文献１参照）。また、標識柱に太陽電池パネルを設け、標識柱に標識部を設けて太陽電池部１２で発電された電力を標識部に伝達し、標識部内に設けられた光源を発光させることで記載されている文字を運転者等に認識させるようにしたものがある（特許文献２参照）。また、画像表示装置の上部に光発電部を設けたデジタルサイネージがある（特許文献３参照）。
【０００３】
一方、図１０に示すような自立式の可搬型サイネージ装置も開発されている。図１０に示すように、自立式の可搬型サイネージ装置は、架台１１にディスプレイ装置１２を搭載したものであり、架台１１の下部には路面設置部１３が設けられている。路面設置部１３は路面を移動可能で設置箇所で移動をロックして安定して設置できるものであり、図１０では路面設置部１３としてロック付のキャスタである場合を示している。すなわち、架台１１を設置箇所に移動する場合にはキャスタの転がりにより容易に移動でき、設置箇所においてはキャスタをロックして固定する。なお、図１０ではキャスタのロック機構の図示は省略している。
【先行技術文献】
【特許文献】
【０００４】
【特許文献１】特開２０１４−１５７５７５号公報
【特許文献２】特開２００２−１２４６９６号公報
【特許文献３】国際公開２０１２／７３６１９号
【発明の概要】
【発明が解決しようとする課題】
【０００５】
しかし、特許文献１のものは、装置を設置するための基礎部や本体部が必要となるので、装置の容積が大きくなる。また、可搬型ではないので設置のための移動作業は車両に搭載して行うことになり作業量が多くなる。また、図１０で示したサイネージ装置は可搬型であるが、ディスプレイ装置を搭載した架台を有しているので装置自体が大きくなる。架台は、転倒防止のためにある程度の大きさが必要であり、架台含めたサイネージ装置の容積が大きくなる。
【０００６】
本発明の目的は、装置自体の容積を小さくでき、路上に安定して容易に設置できるサイネージ装置を提供することである。
【課題を解決するための手段】
【０００７】
請求項１の発明に係るサイネージ装置は、映像や情報を表示するディスプレイ装置と、前記ディスプレイ装置の上部に折り畳み可能に取り付けられた庇と、前記庇に折り畳み可能に取り付けられ、前記ディスプレイ装置を路上設置物に着脱自在に固定するための掛止部と、前記ディスプレイ装置の下部に取り付けられ前記ディスプレイ装置を前記路上設置物まで移動させるとともに路面に固定設置するための路面設置部とを備えたことを特徴とする。
【０００８】
請求項２の発明に係るサイネージ装置は、請求項１の発明において、前記掛止部は、前記路上設置物に設けられた取付部に引っ掛けられて路上設置物に掛止する引っ掛け部であることを特徴とする。
【０００９】
請求項３の発明に係るサイネージ装置は、請求項１の発明において、前記掛止部は、前記路上設置物の上面及び背面に面的に接触して路上設置物に掛止する板部材であることを特徴とする。
【００１０】
請求項４の発明に係るサイネージ装置は、請求項１乃至請求項３の発明において、前記庇に太陽光発電設備を設けたことを特徴とする。
【００１１】
請求項５の発明に係るサイネージ装置は、請求項１乃至請求項４の発明において、前記ディスプレイ装置の表示面を前記路上設置物に対して所定の角度をもって取り付けるための角度調整部を備えたことを特徴とする。
【００１２】
請求項６の発明に係るサイネージ装置は、請求項１乃至請求項５の発明において、前記ディスプレイ装置の下部に折り畳み可能に設けられ前記路上設置部を隠す覆い部を備えたことを特徴とする。
【発明の効果】
【００１３】
請求項１の発明によれば、折り畳み可能に取り付けられた掛止部によりディスプレイ装置を路上設置物に着脱自在に固定するので、装置自体の容積を小さくできる。また、ディスプレイ装置の下部に路面設置部を取り付けているので、ディスプレイ装置の移動や設置を容易に行える。さらに、掛止部と路面設置部とでディスプレイ装置の荷重を分散できるので路上に安定して設置できる。
【００１４】
請求項２の発明によれば、請求項１の発明の効果に加え、路上設置物に設けられた取付部に引っ掛け部を引っ掛けて路上設置物に掛止するので、路上設置物への掛止部の構造を簡単にできる。
【００１５】
請求項３の発明によれば、請求項１の発明の効果に加え、路上設置物の上面及び背面に面的に板部材を接触して路上設置物に掛止するので、ディスプレイ装置の荷重をより分散して支持できる。
【００１６】
請求項４の発明によれば、請求項１乃至請求項３の発明の効果に加え、庇に太陽光発電設備を設けたので、ディスプレイ装置への電源を太陽光発電設備から供給可能となる。
【００１７】
請求項５の発明によれば、請求項１乃至請求項４の発明の効果に加え、ディスプレイ装置の表示面を路上設置物に対して所定の角度をもって取り付けるための角度調整部を設けたので、人間の目に付く方向にディスプレイ装置の表示面を向けることができ、歩行者に最適に情報を提供できる。
【００１８】
請求項６の発明によれば、請求項１乃至請求項５の発明の効果に加え、ディスプレイ装置の下部に折り畳み可能に路上設置部を隠す覆い部を設けたので、路上設置部を隠すことができ装置全体としての美観を維持できる。
【図面の簡単な説明】
【００１９】
【図１】本発明の第１実施形態に係るサイネージ装置の構成図。
【図２】本発明の第１実施形態のサイネージ装置の設置手順（前半）の説明図。
【図３】本発明の第１実施形態のサイネージ装置の設置手順（後半）の説明図。
【図４】本発明の第２実施形態に係るサイネージ装置の構成図。
【図５】本発明の第２実施形態のサイネージ装置の設置手順（前半）の説明図。
【図６】本発明の第２実施形態のサイネージ装置の設置手順（後半）の説明図。
【図７】本発明の第３実施形態に係るサイネージ装置の構成図。
【図８】本発明の第３実施形態のサイネージ装置の設置手順（前半）の説明図。
【図９】本発明の第３実施形態のサイネージ装置の設置手順（後半）の説明図。
【図１０】自立式の可搬型サイネージ装置の斜視図。
【発明を実施するための形態】
【００２０】
以下、本発明の実施形態を説明する。図１は本発明の第１実施形態に係るサイネージ装置の構成図であり、図１（ａ）は斜視図、図１（ｂ）は側面図である。本発明の第１実施形態に係るサイネージ装置は、路上設置物１４に設置される。路上設置物１４は、例えば、埋設配電線を構成する電気機器、多回路開閉器、地上変圧器、低圧分岐装置等を収納し地上に設置した電気設備であり、通常、幹線道路の歩道に所定間隔で設置されている。
【００２１】
図１（ａ）、図１（ｂ）において、路上設置物１４の前面には、映像や情報を表示するディスプレイ装置１５が位置するように配置され、ディスプレイ装置１５の上部には、庇１６がヒンジ１７ａにより折り畳み可能に取り付けられている。また、庇１６にはヒンジ１７ｂにより掛止部１８が折り畳み可能に取り付けられている。図１（ａ）、図１（ｂ）では、掛止部１８は、路上設置物１４の上部に設けられた取付部１９に引っ掛けられる引っ掛け部１８Ａである場合を示している。
【００２２】
路上設置物１４の上部の取付部１９は、路上設置物１４自体を設置する際に路上設置物１４に取り付けられるものであり、通常、路上設置物１４を設置した後は取り外されるものであるが、本発明の第１実施形態では、サイネージ装置を路上設置物１４に設置する際に路上設置物１４に取付部１９を取り付けて取付部１９を利用する。このように、掛止部１８である引っ掛け部１８Ａを路上設置物１４の取付部１９に引っ掛けることにより、ディスプレイ装置１５を路上設置物１４に着脱自在に固定する。
【００２３】
ディスプレイ装置１５の下部には、ディスプレイ装置１５を路面に固定設置するための路面設置部１３が取り付けられている。図１（ａ）、図１（ｂ）では、路面設置部１３としてロック付のキャスタである場合を示しており、ディスプレイ装置１５を設置箇所に移動する場合にはキャスタの転がりにより移動させ、設置箇所においてはキャスタをロックする。なお、図１（ａ）、図１（ｂ）ではキャスタのロック機構の図示は省略している。これにより、ディスプレイ装置１５は、路面の設置箇所に移動可能で設置箇所で安定して設置できる。
【００２４】
また、ディスプレイ装置１５の下部には、路上設置部１３を隠す覆い部２０が設けられ、覆い部２０は第１覆い部２０ａと第２覆い部２０とに２分割され、ヒンジ１７ｃ、１７ｄにより折り畳み可能に設けられている。これにより、路上設置部１３を隠すことができサイネージ装置全体としての美観を維持できる。第１覆い部２０ａ、第２覆い部２０ｂは、美観が気にならない箇所では必ずしも設ける必要はなく必要に応じて設ける。以下の説明では、第１覆い部２０ａ、第２覆い部２０ｂを設けた場合について説明する。
【００２５】
図２は本発明の第１実施形態のサイネージ装置の設置手順（前半）の説明図であり、図３は本発明の第１実施形態のサイネージ装置の設置手順（後半）の説明図である。図２（ａ）において、まず、路上設置物１４の上部に取付部１９を取り付ける。そして、サイネージ装置を路上設置物１４の近傍まで移動させる。サイネージ装置のディスプレイ装置１５の移動は、サイネージ装置のディスプレイ装置１５に取り付けられた路面設置部１３であるキャスタにより移動させる。この状態では、サイネージ装置は折り畳まれている。すなわち、ディスプレイ装置１５に庇１６がヒンジ１７ａで折り畳まれ、庇１６に引っ掛け部１８Ａがヒンジ１７ｂで折り畳まれ、ディスプレイ装置１５に第１覆い部２０ａがヒンジ１７ｃで折り畳まれ、第１覆い部２０ａにヒンジ１７ｄで第２覆い部２０ｂが折り畳まれている。ヒンジ１７ａ〜１７ｄはロック機構を有しており、任意の回動角でその回動角を保持する機能を有する。
【００２６】
サイネージ装置を路上設置物１４の近傍まで移動させると、図２（ｂ）に示すように、ヒンジ１７ａを回動させてディスプレイ装置１５から庇１６を直角方向に開き、庇１６を路上設置物１４の反対側に突出させる。ヒンジ１７ａはロック機構を有しているので、直角方向の位置でその状態を維持する。この状態で、図２（ｃ）に示すように、ヒンジ１７ｂを回動させて庇１６から掛止部１８である引っ掛け部１８Ａを１８０°開き、引っ掛け部１８Ａを路上設置物１４側に突出させる。そして、図２（ｄ）に示すように、路面設置部１３であるキャスタにより、ディスプレイ装置１５の背面を路上設置物１４の前面まで移動させ接触させる。これにより、引っ掛け部１８Ａは路上設置物１４の上部の取付部１９に引っ掛けられ、ディスプレイ装置１５を路上設置物１４に着脱自在に固定する。
【００２７】
次に、図３（ａ）に示すように、ヒンジ１７ｃを回動させてディスプレイ装置１５からに第１覆い部２０ａを直角方向に開き、第１覆い部２０ａを路上設置物１４の反対側に突出させる。さらに、第１覆い部２０ａから第２覆い部２０ｂを直角方向に開き、覆い部２０ｂを路面側に突出させる。
【００２８】
本発明の第１実施形態によれば、折り畳んだ状態で路上設置物１４まで移動し、路上設置物１４の近傍で、庇１６、掛止部１８である引っ掛け部１８Ａ、第１覆い部２０ａ、第２覆い部２０ｂを開き、引っ掛け部１８Ａによりディスプレイ装置１５を路上設置物１４に着脱自在に固定するので、ディスプレイ装置１５の移動や設置を容易に行え、サイネージ装置自体の容積を小さくできる。また、引っ掛け部１８Ａと路面設置部１３とでディスプレイ装置１５の荷重を分散できるので路上に安定して設置でき、第１覆い部２０ａ、第２覆い部２０ｂにより路上設置部１３を隠すことができサイネージ装置全体としての美観も維持できる。
【００２９】
図４は本発明の第２実施形態に係るサイネージ装置の構成図であり、図４（ａ）は斜視図、図４（ｂ）は側面図である。この本発明の第２実施形態に係るサイネージ装置は、図１に示した第１実施形態に係るサイネージ装置に対し、掛止部１８として、路上設置物１４の上部に設けられた取付部１９に引っ掛けられる引っ掛け部１８Ａに代えて、路上設置物１４の上面及び背面に面的に接触して路上設置物１４に掛止する板部材１８Ｂとし、庇１６に太陽光発電設備２１を設けたものである。図１と同一要素には同一符号を付し重複する説明は省略する。
【００３０】
図４（ａ）、図４（ｂ）において、路上設置物１４の前面には、映像や情報を表示するディスプレイ装置１５が位置するように配置され、ディスプレイ装置１５の上部には、太陽光発電設備２１を搭載した庇１６がヒンジ１７ａにより折り畳み可能に取り付けられている。また、庇１６の太陽光発電設備２１にはヒンジ１７ｂにより掛止部１８が折り畳み可能に取り付けられている。図４（ａ）、図４（ｂ）では、掛止部１８は、路上設置物１４の上面及び背面に面的に接触して路上設置物１４に掛止する板部材１８Ｂで構成されており、掛止部１８である板部材１８Ｂは、第１板部材１８Ｂ１と第２板部材１８Ｂ２とに２分割され、ヒンジ１７ｅにより折り畳み可能に設けられている。ヒンジ１７ｅはロック機構を有しており、任意の回動角でその回動角を保持する機能を有する。
【００３１】
第１板部材１８Ｂ１は路上設置物１４の上面に位置し、第２板部材１８Ｂ２は路上設置物１４の背面に位置する。第１板部材１８Ｂ１の幅は、路上設置物１４の幅に等しくなるように形成しておき、その箇所にヒンジ１７ｅを設ける。これにより、掛止部１８である板部材１８Ｂは、路上設置物１４の上面及び背面に面的に接触して路上設置物１４に掛止できる。
【００３２】
太陽光発電設備２１は、太陽光パネルとパワーコンディショナー（ＰＣＳ）とを有し、太陽光パネルで発電した直流電力をＰＣＳで交流電力に変換し、サイネージ装置のディスプレイ装置１５に電源として供給する。
【００３３】
図５は本発明の第２実施形態のサイネージ装置の設置手順（前半）の説明図であり、図６は本発明の第２実施形態のサイネージ装置の設置手順（後半）の説明図である。図５（ａ）において、まず、サイネージ装置を路上設置物１４の近傍まで移動させる。サイネージ装置のディスプレイ装置１５の移動は、サイネージ装置のディスプレイ装置１５に取り付けられた路面設置部１３であるキャスタにより移動させる。この状態では、サイネージ装置は折り畳まれている。すなわち、太陽光発電設備２１を搭載した庇１６がヒンジ１７ａでディスプレイ装置１５に折り畳まれ、庇１６の太陽光発電設備２１に掛止部１８である板状部材１８Ｂがヒンジ１７ｂで折り畳まれ、板部材１８Ｂの第１板部材１８Ｂ１と第２板部材１８Ｂ２とはヒンジ１７ｅにより折り畳まれている。また、ディスプレイ装置１５に第１覆い部２０ａがヒンジ１７ｃで折り畳まれ、第１覆い部２０ａにヒンジ１７ｄで第２覆い部２０ｂが折り畳まれている。
【００３４】
サイネージ装置を路上設置物１４の近傍まで移動させると、図５（ｂ）に示すように、路面設置部１３であるキャスタにより、ディスプレイ装置１５の背面を路上設置物１４の前面まで移動させ接触させる。そして、ヒンジ１７ａを回動させてディスプレイ装置１５から庇１６を直角方向に開き、庇１６を路上設置物１４の反対側に突出させる。ヒンジ１７ａはロック機構を有しているので、直角方向の位置でその状態を維持する。この状態で、図５（ｃ）に示すように、ヒンジ１７ｂを回動させて庇１６に搭載された板状部材１８Ｂを１８０°開き、板状部材１８Ｂを路上設置物１４側に突出させ路上設置物１４の上面に接触させる。さらに、図５（ｄ）に示すように、ヒンジ１７ｅを回動させて、第１板状部材１８Ｂ１から第２板状部材１８Ｂ２を開き、第２板状部材１８Ｂ２を路上設置物１４の背面側に接触させる。これにより、ディスプレイ装置１５を路上設置物１４に着脱自在に固定する。
【００３５】
次に、図６（ａ）に示すように、ヒンジ１７ｃを回動させてディスプレイ装置１５からに第１覆い部２０ａを直角方向に開き、第１覆い部２０ａを路上設置物１４の反対側に突出させる。さらに、第１覆い部２０ａから第２覆い部２０ｂを直角方向に開き、覆い部２０ｂを路面側に突出させる。
【００３６】
本発明の第２実施形態によれば、折り畳んだ状態で路上設置物１４まで移動し、路上設置物１４の近傍で、太陽光発電設備２１を搭載した庇１６、掛止部１８である板状部材１８Ｂ１、第１覆い部２０ａ、第２覆い部２０ｂを開き、掛止部１８である板状部材１８Ｂによりディスプレイ装置１５を路上設置物１４に着脱自在に固定するので、ディスプレイ装置１５の移動や設置を容易に行え、サイネージ装置自体の容積を小さくできる。また、路上設置物１４の上面及び背面に面的に板部材１８Ｂを接触して路上設置物に掛止するので、板状部材１８Ｂと路面設置部１３とでディスプレイ装置１５の荷重を分散できるので路上に安定して設置できる。庇１６に太陽光発電設備２１を設けたので、ディスプレイ装置１５への電源を太陽光発電設備２１から供給可能となる。さらには、第１覆い部２０ａ、第２覆い部２０ｂにより路上設置部１３を隠すことができサイネージ装置全体としての美観も維持できる。
【００３７】
図７は本発明の第３実施形態に係るサイネージ装置の構成図であり、図７（ａ）は斜視図、図７（ｂ）は側面図、図７（ｃ）は角度調整装置の斜視図である。この本発明の第３実施形態に係るサイネージ装置は、図４に示した第２実施形態に係るサイネージ装置に対し、掛止部１８として、２分割された板部材１８Ｂ（第１板状部材１８Ｂ１、第１板状部材１８Ｂ２）に代えて、複数分割された板部材１８Ｂ（第１板状部材１８Ｂ１〜第４板状部材１８Ｂ４）とし、ディスプレイ装置１５の表示面を路上設置物１４に対して所定の角度をもって取り付けるための角度調整部２２を設けたものである。図４と同一要素には同一符号を付し重複する説明は省略する。
【００３８】
図７（ａ）、図７（ｂ）において、掛止部１８は、路上設置物１４の上面及び背面に面的に接触して路上設置物１４に掛止する板部材１８Ｂで構成されており、掛止部１８である板部材１８Ｂは、第１板部材１８Ｂ〜第４板部材１８Ｂ４とに４分割され、ヒンジ１７ｅ１〜１７ｅ４により折り畳み可能に設けられている。ヒンジ１７ｅ１〜１７ｅ４はロック機構を有しており、任意の回動角でその回動角を保持する機能を有する。
【００３９】
第１板部材１８Ｂ１、第２板状部材１８Ｂ２、第２板状部材１８Ｂ３は、路上設置物１４の上面に位置し、第４板部材１８Ｂ４は路上設置物１４の背面に位置する場合を示している。板状部材１８Ｂは、４分割に限らず３分割としてもよいし５分割以上にしてもよい。板状部材１８Ｂを複数分割としたのは、路上設置物１４の幅に応じて、路上設置物１４の上面に位置する部分と路上設置物１４の背面に位置する部分との長さを調整できるようにするためである。これにより、掛止部１８である板部材１８Ｂは、路上設置物１４の幅に応じて、路上設置物１４の上面及び背面に位置する部分との長さを調整でき、路上設置物１４の上面及び背面に面的に接触して路上設置物１４に掛止できる。
【００４０】
また、ディスプレイ装置１５の背面には、図４（ｃ）に示す角度調整部２２が設けられる。角度調整装置２２は路上設置物１４に固定され、ディスプレイ装置１５の表示面を路上設置物１４に対して、上下左右の角度を調整でき横方向にも３６０°回転可能なものである。これにより、人間の目に付く方向にディスプレイ装置の表示面を向けることができる。
【００４１】
図８は本発明の第３実施形態のサイネージ装置の設置手順（前半）の説明図であり、図９は本発明の第２実施形態のサイネージ装置の設置手順（後半）の説明図である。図８（ａ）において、まず、サイネージ装置を路上設置物１４の近傍まで移動させる。サイネージ装置のディスプレイ装置１５の移動は、サイネージ装置のディスプレイ装置１５に取り付けられた路面設置部１３であるキャスタにより移動させる。この状態では、サイネージ装置は折り畳まれている。すなわち、角度調整部２２が背面に設けられたディスプレイ装置１５には、太陽光発電設備２１を搭載した庇１６がヒンジ１７ａでディスプレイ装置１５に折り畳まれ、庇１６の太陽光発電設備２１に掛止部１８である板状部材１８Ｂがヒンジ１７ｂで折り畳まれ、板部材１８Ｂの第１板部材１８Ｂ１〜第４板部材１８Ｂ４はヒンジ１７ｅ１〜１７ｅ３により折り畳まれている。また、ディスプレイ装置１５に第１覆い部２０ａがヒンジ１７ｃで折り畳まれ、第１覆い部２０ａにヒンジ１７ｄで第２覆い部２０ｂが折り畳まれている。
【００４２】
サイネージ装置を路上設置物１４の近傍まで移動させると、図８（ｂ）に示すように、路面設置部１３であるキャスタにより、ディスプレイ装置１５の背面を路上設置物１４の前面まで移動させ接触させ、角度調整部２２を路上設置物１４に取り付ける。そして、ヒンジ１７ａを回動させてディスプレイ装置１５から庇１６を直角方向に開き、庇１６を路上設置物１４の反対側に突出させる。ヒンジ１７ａはロック機構を有しているので、直角方向の位置でその状態を維持する。この状態で、図８（ｃ）に示すように、ヒンジ１７ｂを回動させて庇１６に搭載された板状部材１８Ｂを１８０°開き、板状部材１８Ｂを路上設置物１４側に突出させる。この場合、板状部材１８Ｂのうち第１板状部材１８Ｂ１〜１８ｂ３が路上設置物１４の上面に接触する。さらに、図８（ｄ）に示すように、路上設置物１４の上面に接触していない第４板状部材１８Ｂ４をヒンジ１７ｅ３を回動させて、第４板状部材１８Ｂ４を路上設置物１４の背面側に接触させる。これにより、ディスプレイ装置１５を路上設置物１４に着脱自在に固定する。
【００４３】
次に、図９（ａ）に示すように、ヒンジ１７ｃを回動させてディスプレイ装置１５からに第１覆い部２０ａを直角方向に開き、第１覆い部２０ａを路上設置物１４の反対側に突出させる。さらに、第１覆い部２０ａから第２覆い部２０ｂを直角方向に開き、覆い部２０ｂを路面側に突出させる。
【００４４】
本発明の第３実施形態によれば、第２実施形態の効果に加え、板状部材１８Ｂを複数分割としたので、路上設置物１４の幅に応じて、路上設置物１４の上面に位置する部分と路上設置物１４の背面に位置する部分との長さを調整できる。従って、幅が異なる路上設置物１４にも容易に適用できる。また、ディスプレイ装置１５の背面の角度調整装置２２を路上設置物１５に取り付けたので、人間の目に付く方向にディスプレイ装置１５の表示面を向けることができ、歩行者に最適に情報を提供できる。
【００４５】
以上の説明では、第２実施形態及び第３実施形態に対し、庇１６に太陽光発電設備２１を設けた場合を説明したが、第１実施形態に対し、庇１６に太陽光発電設備２１を設けるようにしてもよい。また、第３実施形態に対し、角度調整部２２を設けた場合を説明したが、第１実施形態及び第２実施形態に対し、角度調整部２２を設けるようにしてもよい。
【００４６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１１…架台、１２…ディスプレイ装置、１３…路面設置部、１４…路上設置物、１５…ディスプレイ装置、１６…庇、１７…ヒンジ、１８…掛止部、１８Ａ…引っ掛け部、１８Ｂ…板状部材、１８Ｂ１…第１板状部材、１８Ｂ２…第２板状部材、１９…取付部、２０…覆い部、２０ａ…第１覆い部、２０ｂ…第２覆い部、２１…太陽光発電設備、２２…角度調整部
【図１】
2018013516.tif 000003
【図２】
2018013516.tif 000004
【図３】
2018013516.tif 000005
【図４】
2018013516.tif 000006
【図５】
2018013516.tif 000007
【図６】
2018013516.tif 000008
【図７】
2018013516.tif 000009
【図８】
2018013516.tif 000010
【図９】
2018013516.tif 000011
【図１０】
2018013516.tif 000012